(57)【要約】【課題】高強度の一体成形紙製容器の提供。【解決手段】防水層を具えた紙材で形成された箱体構造を具え、該箱体構造が、折線で区画された少なくとも一対の円弧形立壁部、底部、扇形折り畳み部及び外折接合部を具えた展開体を折り合わせた後に、型を利用しホットメルト接合して一次結合させてなり、各外折接合部に設けられた切り口が折角を形成し蓋体の挿入設置に供され、これにより食品或いは生鮮食品を盛る容器とされる。【選択図】　　　　図１
0003098376.tif 000002
【実用新案登録請求の範囲】
【請求項１】
紙材で形成された箱体構造を具え、プレス加工によりプレフォーミングされた折線で区画された立壁部、円弧形立壁部、底部、扇形折り畳み部及び外折接合部を具えた展開体が加圧加熱加工されて該箱体構造が形成された高強度の一体成形紙製容器において、扇形折り畳み部が立壁部の外壁に接合され各立壁部と円弧形立壁部の上端に形成された外折接合部が切り口により連接され並びに一体に結合成形され、並びに対応する円弧形立壁部と扇形折り畳み部が内側の立壁部の後壁面に貼り合わされて、軸方向に結束する状態で立壁部を支持構造を強化し、型を使用し折り畳み縮合後に形成された容器が食品或いは野菜を盛るための紙製容器とされたことを特徴とする高強度の一体成形紙製容器。
【請求項２】
請求項１記載の高強度の一体成形紙製容器において、容器が四角のトレイ状を呈し、容器が少なくとも一対の対応する立壁部を具えて扇形折り畳み部を介して別の連続する内側立壁部と接合され、且つその各立壁部の上端の外折接合部が切り口により組み合わされ並びに一体結合成形され、外側の円弧形立壁部と扇形折り畳み部が内側の立壁部の後壁面に貼り合わされ、別に内側の立壁部の上端の外折接合部に平行な連接辺が設けられ並びに扇形折り畳み部の貼り合わせ後に円弧形立壁部の上端の外折接合部と結合され、軸方向に貼り合わされて立壁部の支持を強化したことを特徴とする、高強度の一体成形紙製容器。
【請求項３】
請求項１又は請求項２記載の高強度の一体成形紙製容器において、紙製容器の円弧形立壁部の上端の円弧辺に対応する下端の円弧辺を具え、該下端の円弧辺を介して底面が連接され、箱体の底面が円弧形立壁部の底端の円弧辺により、上向きの引っ張り強度を有する支持底面を形成していることを特徴とする、高強度の一体成形紙製容器。
【請求項４】
請求項１又は請求項２記載の高強度の一体成形紙製容器において、立壁部の上端の外折接合部或いは立壁部の適当な位置に形成された切り口により折角が形成された蓋体の挿入被覆に供され、蓋体により収容物の脱落防止がなされることを特徴とする、高強度の一体成形紙製容器。
【請求項５】
請求項１又は請求項２記載の高強度の一体成形紙製容器において、容器の底面内側に少なくとも一つの環形凹溝が設けられ、該環形凹溝に下向きに当接面が形成されて容器の底部支持と断熱に供されることを特徴とする、高強度の一体成形紙製容器。
【請求項６】
請求項１又は請求項２記載の高強度の一体成形紙製容器において、容器の外折接合部の下端に強化片が設けられ、該強化片が外から貼り付けられるか、或いは外折接合部と対応する形状とされて一体に裁断された後に、折り返されて扇形折り畳み部の貼り合わせ後の外折接合部の下端部分に貼り付けられ、これにより外折接合部結束後の引っ張り強度が強化されたことを特徴とする、高強度の一体成形紙製容器。
【考案の詳細な説明】
【０００１】
【考案の属する技術分野】
本考案は一種の高強度の一体成形紙製容器に係り、特に、防水層を具えた紙材で形成された箱体構造を具え、該箱体構造が、折線で区画された少なくとも一対の円弧形立壁部、底部、扇形折り畳み部及び外折接合部を具えた展開体を折り合わせた後に、型を利用しホットメルト接合して一次結合させてなり、各外折接合部に設けられた切り口が折角を形成し蓋体の挿入設置に供され、これにより食品或いは生鮮食品を盛る容器とされる、高強度の一体成形紙製容器に関する。
【０００２】
【従来の技術】
人類の物質生活の進歩により、美食が求められるようになり、食品或いは生鮮食品容器に対しても研究が重ねられている。しかし外食人口が多くなると共に、人々の環境保護意識も高まり、回収不能なプラスチック容器或いは袋は好まれなくなり、ゆえに食品を盛るためのプラスチック容器製品或いはポリスチレン容器の多くは半分淘汰されるか或いは製造が禁止されている。ゆえに回収可能な紙容器が発生した。
【０００３】
既存の紙容器は持ち帰り弁当に使用されるだけで、それに盛ることのできる食品は、容器の紙質の制限を受け、盛ることのできる体積は少ない。これは紙容器の成形構造と加工過程の影響を受けるために、紙容器の引っ張り強度が制限されるためであり、重い或いは体積が大きい食品或いはスープ等は盛ることができない。ゆえに大体積の容器には陶器、磁器或いは耐熱プラスチック製品が使用される。これらは食事或いは使用の後に洗浄或いは廃棄しなければならないという問題があり、忙しく簡便さを求める現代人の生活スタイルに符合しない。ゆえに既存の紙製容器の構造の昔からの欠点に対する改善が求められている。
【０００４】
【考案が解決しようとする課題】
上述の従来の技術の欠点から、高強度の一体成形紙製容器が求められている。本考案による紙製容器は、速やかに一体成形され且つ有効に紙製容器の強度が高められ、体積が大きい或いは重い食品を簡単に盛ることができ、容器全体として極めて産業上の利用性を具備したものとする。
【０００５】
ゆえに、本考案の主要な目的は、一種の高強度の一体成形紙製容器を提供することにあり、それは、防水層を具えた紙材で形成された箱体構造を具え、該箱体構造が、加圧形成により形成された折線で区画された少なくとも一対の円弧形立壁部、底部、扇形折り畳み部及び外折接合部を具えた展開体を折り合わせた後に、型を利用しホットメルト接合して一次結合させてなり、各外折接合部に設けられた切り口が折角を形成し蓋体の挿入設置に供され、これにより食品或いは生鮮食品を盛るのに供され、使用に便利で産業生産の実用性を具えたものとする。
【０００６】
本考案のもう一つの目的は、高強度の一体成形紙製容器を提供することにあり、それは、箱体の底面に突出する環形凹溝が設けられて断熱効果を具備し、設置に便利で、該環形凹溝と該箱体の底面の円弧が放置に有利な支持面を形成して傾倒やぐらつきを発生しにくいものとする。
【０００７】
【課題を解決するための手段】
請求項１の考案は、紙材で形成された箱体構造を具え、プレス加工によりプレフォーミングされた折線で区画された立壁部、円弧形立壁部、底部、扇形折り畳み部及び外折接合部を具えた展開体が加圧加熱加工されて該箱体構造が形成された高強度の一体成形紙製容器において、扇形折り畳み部が立壁部の外壁に接合され各立壁部と円弧形立壁部の上端に形成された外折接合部が切り口により連接され並びに一体に結合成形され、並びに対応する円弧形立壁部と扇形折り畳み部が内側の立壁部の後壁面に貼り合わされて、軸方向に結束する状態で立壁部を支持構造を強化し、型を使用し折り畳み縮合後に形成された容器が食品或いは野菜を盛るための紙製容器とされたことを特徴とする高強度の一体成形紙製容器としている。
請求項２の考案は、請求項１記載の高強度の一体成形紙製容器において、容器が四角のトレイ状を呈し、容器が少なくとも一対の対応する立壁部を具えて扇形折り畳み部を介して別の連続する内側立壁部と接合され、且つその各立壁部の上端の外折接合部が切り口により組み合わされ並びに一体結合成形され、外側の円弧形立壁部と扇形折り畳み部が内側の立壁部の後壁面に貼り合わされ、別に内側の立壁部の上端の外折接合部に平行な連接辺が設けられ並びに扇形折り畳み部の貼り合わせ後に円弧形立壁部の上端の外折接合部と結合され、軸方向に貼り合わされて立壁部の支持を強化したことを特徴とする、高強度の一体成形紙製容器としている。
請求項３の考案は、請求項１又は請求項２記載の高強度の一体成形紙製容器において、紙製容器の円弧形立壁部の上端の円弧辺に対応する下端の円弧辺を具え、該下端の円弧辺を介して底面が連接され、箱体の底面が円弧形立壁部の底端の円弧辺により、上向きの引っ張り強度を有する支持底面を形成していることを特徴とする、高強度の一体成形紙製容器としている。
請求項４の考案は、請求項１又は請求項２記載の高強度の一体成形紙製容器において、立壁部の上端の外折接合部或いは立壁部の適当な位置に形成された切り口により折角が形成された蓋体の挿入被覆に供され、蓋体により収容物の脱落防止がなされることを特徴とする、高強度の一体成形紙製容器としている。
請求項５の考案は、請求項１又は請求項２記載の高強度の一体成形紙製容器において、容器の底面内側に少なくとも一つの環形凹溝が設けられ、該環形凹溝に下向きに当接面が形成されて容器の底部支持と断熱に供されることを特徴とする、高強度の一体成形紙製容器としている。
請求項６の考案は、請求項１又は請求項２記載の高強度の一体成形紙製容器において、容器の外折接合部の下端に強化片が設けられ、該強化片が外から貼り付けられるか、或いは外折接合部と対応する形状とされて一体に裁断された後に、折り返されて扇形折り畳み部の貼り合わせ後の外折接合部の下端部分に貼り付けられ、これにより外折接合部結束後の引っ張り強度が強化されたことを特徴とする、高強度の一体成形紙製容器としている。
【０００８】
【考案の実施の形態】
図１から図５は本考案の第１実施例の高強度の一体成形紙製容器を示す。そのうち、該容器１０は防水層を具えた紙材で形成された箱体構造とされ、紙材料をプレフォーム切断後してなる展開体を加工して容器１０形状が形成され、該容器１０は加圧形成された折線１１により形成された対を成す立壁部１２、一つの底部１３、及び連接、貼合わせに供される扇形折り畳み部１４及び外折接合部１５を具えている。
【０００９】
各立壁部１２の両側に、円弧形立壁部１２５が扇形折り畳み部１４を介して設けられ、各立壁部１２の上端に外折接合部１５が設けられて、その連接固定は型で加熱後の防水層のホットメルト結合により達成され、且つ、成形時に、各立壁部１２の外壁にその両側の扇形折り畳み部１４が折り畳まれ、立壁部１２上端の外折接合部１５の両側が、両側の円弧形立壁部１２５の上端の外折接合部１５の上に重ね合わされる。高品質の結合効果を形成する。
【００１０】
また、立壁部１２を介して連接された外折接合部１５の上端が円弧片状に形成可能で、それから下向きに延伸された位置にある円弧辺１６の支持により、立壁部１２の支持効果が強化されている。扇形折り畳み部１４が二つの立壁部１２間を連接し、折り合わせ後に、紙製容器に入れられた液体の外漏れを防ぐ。
【００１１】
図６、７に示されるのは本考案の第２実施例であり、それは深さが浅いトレイ状とされ、円弧形立壁部１２５の対称な円弧形状により高強度の支持部が形成され、扇形折り畳み部１４が立壁部１２の外側面に貼り合わせられて結束状を形成することにより、高い支持性を具えた食器構造を形成している。周知の技術のように、対角上にある四隅を折り畳んで四つの角を支持する形態とする必要はなく、扇形折り畳み部１４の貼り合わせ部分はまた円弧形立壁部１２５の後側（外壁）とされうる。各立壁部１２の外折接合部１５は切り口１４０により二つずつが連接される。
【００１２】
また、図１０は本考案の第１実施例に蓋体を組み合わせた実施例であり、該容器１０の各立壁部の上端の外折接合部１５の上、或いは立壁部１２の適当な部分に設けられた切り口１７が形成する折角１７０が蓋体１８の挿入に供され、この蓋体１８により容器１０に入れたものの脱出が防止され、蓋体はまた第２実施例に実施可能である。
【００１３】
図１１は本考案の別の実施例であり、容器１０結合後に、各立壁部の上端に設けられた外折接合部１５の下に強化片２０が設けられ、並びに該強化片２０が外から貼り付けられるか或いは外折接合部１５と対応する形状で一体に裁断後に各三角形の折り畳み部１４の折り畳み結合後の両側辺の外折接合部１５の下端部分に折って貼り合わされ、これにより各外折接合部１５の引っ張り強度を増している。
【００１４】
そのうち、第１実施例から第２実施例に示されるように、容器底端の円弧形辺内側の底部１３の内向きの適当な部分に少なくとも一つの環形凹溝１３１が設けられ、この環形凹溝１３１が下向きに凹んで当接面を形成し、底部の支持効果と断熱効果を提供する。
【００１５】
【考案の効果】
本考案は以下のような効果を有する。
１．一体成形と結束構造により支持強度が強化されている。即ち、本考案は一体式の連続立壁部を採用すると共に円弧辺による支持を採用し、外向きに傾斜する円弧辺設計の円弧形立壁部により結束効果を有し、且つ外向きの円弧辺により引っ張り強度が高く、扇形折り畳み部が立壁部の外壁面に貼り合わせられることにより円弧形立壁部が立壁部を結束し、全体の強度が大幅に高められ且つ円弧辺の内向きの集束作用により支持力が従来のものより大幅に増加されている。
２．底部と円弧形立壁部の上下に設けられた円弧辺により立壁部の側方向の引っ張り強度が高められている。本考案の重量を受ける結合辺と底部はいずれも円弧辺で支持され、その引っ張り強度は周知の四角形の紙製容器よりも高い。本考案は立壁部の上縁及び底縁に上下の対応する円弧辺が設けられ、並びに扇形折り畳み部が貼り合わせられたことにより、立壁部が下向きの圧力を有効に支持し、且つ立壁部が側方向の引っ張り強度が扇形折り畳み部により有効に制御される。
３．一体加工成形と及び簡便な加工により大きな体積のものを盛るのに応用できる。本考案は一体成形で且つ貼り合わせ固定方式により外折接合部と立壁部が固定されゆえに、本考案の構造は食品或いは野菜等体積及び重量が比較的大きいものの収容に応用できる。
４．箱体の円弧形立壁部に上下の円弧辺設計が採用され、扇形折り畳み部が立壁部の外部に貼り合わされて内向きに集束する形態を形成し、並びに外折接合部の接合効果により強制的に内向きの結束効果を強化し、これにより高強度の支持能力を有する。この形状設計により２０−３０％に紙の厚さを減らすことができ、従来の四角形の紙製容器では達成できなかった高い支持効果を獲得する。即ち小質量の紙の集束構造により高強度の支持効果を達成し、有効に材料コストを減らすことができると共に、環境保護概念に符合させることができる。
総合すると、本考案の高強度の一体成形紙製容器は、防水層を具えた紙材で形成された箱体構造を具え、該箱体構造が、加圧形成により形成された折線で区画された少なくとも一対の円弧形立壁部、底部、扇形折り畳み部及び外折接合部を具えた展開体を折り合わせた後に、型を利用しホットメルト接合して一次結合させてなり、各外折接合部に設けられた切り口が折角を形成し蓋体の挿入設置に供され、これにより食品或いは生鮮食品を盛るのに供され、使用に便利で産業生産の実用性を具えたものとされる。
【図面の簡単な説明】
【図１】本考案の高強度の一体成形紙製容器の第１実施例の斜視図である。
【図２】本考案の高強度の一体成形紙製容器の展開図である。
【図３】本考案の高強度の一体成形紙製容器の折り合わせ表示図である。
【図４】本考案の高強度の一体成形紙製容器の折り合わせ表示図である。
【図５】本考案の側面図である。
【図６】本考案の食品収容状態表示図である。
【図７】本考案の食品収容状態表示図である。
【図８】本考案の紙製容器の第２実施例図である。
【図９】本考案の紙製容器の第２実施例図である。
【図１０】本考案の紙製容器の第１実施例に蓋体を組み合わせた実施例表示図である。
【図１１】本考案の紙製容器の外折接合部強化片表示図である。
【符号の説明】
１０　容器　　　　　　１１　折線
１２　立壁部　　　　　１２５　円弧形立壁部
１３　底部　　　　　　１３１　環形凹溝
１４　折り畳み部　１４０　切り口
１５　外折接合部　　　１６　円弧辺
１７　切り口　　　　　１７０　折角
１８　蓋体　　　　　　２０　強化片
【図１】
0003098376.tif 000003
【図２】
0003098376.tif 000004
【図３】
0003098376.tif 000005
【図４】
0003098376.tif 000006
【図５】
0003098376.tif 000007
【図６】
0003098376.tif 000008
【図７】
0003098376.tif 000009
【図８】
0003098376.tif 000010
【図９】
0003098376.tif 000011
【図１０】
0003098376.tif 000012
【図１１】
0003098376.tif 000013